(57)【特許請求の範囲】
【請求項１】
海水を送り込むポンプホースを連結する入口（１１）と、ノズル等の排水ホースを連結する出口（１２）とを有した缶体（２）内部に、鋼製、乃至ステンレス製等の湯沸用煙管（１）を配置して、この煙管（１）周りに湯沸室（９）を形成し、この湯沸室（９）内を前記入口（１１）から出口（１２）へ通す海水を湯沸しする構成とし、この缶体（２）の周壁一部に取付口（４）を形成し、この取付口（４）を閉鎖する取付蓋（５）の内側に、この海水による侵蝕溶解を受けさせる亜鉛（３）塊を、この亜鉛（３）塊の内側面を缶体（２）の前記取付口（４）内側の湯沸室（９）に位置させて着脱可能に、かつ、前記湯沸室９を流動する熱湯に晒すことができるようにして取付けることを特徴とするボイラー。
【発明の詳細な説明】
【技術分野】
【０００１】  海洋養殖器具に付着する貝殻や、海藻類等を除去、掃除するために海水熱湯を使用するが、このような海水を湯沸しするボイラーに関するもので、煙管の侵蝕、孔あきを防止するものである。
【背景技術】
【０００２】  海水を通す缶体内部に多数の煙管を配置して、この煙管内にバーナによる燃焼炎、煙を通して、海水を湯沸しする技術が知られている。
【発明の開示】
【発明が解決しようとする課題】
【０００３】  煙管の外周に海水を通して湯沸しするボイラーは、煙管に亀裂を生じ、孔があき易く、海水が焔管内部に漏出するおそれがある。
【課題を解決するための手段】
【０００４】  請求項１に記載の発明は、海水を送り込むポンプホースを連結する入口１１と、ノズル等の排水ホースを連結する出口１２とを有した缶体２内部に、鋼製、乃至ステンレス製等の湯沸用煙管１を配置して、この煙管１周りに湯沸室９を形成し、この湯沸室９内を前記入口１１から出口１２へ通す海水を湯沸しする構成とし、この缶体２の周壁一部に取付口４を形成し、この取付口４を閉鎖する取付蓋５の内側に、この海水による侵蝕溶解を受けさせる亜鉛３塊を、この亜鉛３塊の内側面を缶体２の前記取付口４内側の湯沸室９に位置させて着脱可能に、かつ、前記湯沸室９を流動する熱湯に晒すことができるようにして取付けることを特徴とするボイラーの構成とする。
ステンレス製等の硬い鋼材からなる煙管１の内側はバーナによる火焔が通り、外周の湯沸室９にはポンプによって海水が入口１１から送り込まれて出口１２へ流れて、ノズルから噴射される。この湯沸室９内を入り口１１から出口１２へ流れる海水が、煙管１等を通る火焔によって加温されるが、これと同時に、この海水の流れによって溶解性の高い亜鉛３塊の内側面が侵蝕溶解される。このとき海水のイオン電子は電気として電位の低い亜鉛３の側へ先に流れるために、この缶体２内の海水中のイオン電子の流れが減少すると共に、鋼製、乃至ステンレス製等の煙管１への電気の流れは行われ難くなり、煙管１の侵蝕溶解し難い状態にして孔あきを防止する。【０００５】  このような湯沸室９では、海水が流れていて加温されるが、これと同時にこの海水の流れによって亜鉛３が侵蝕溶解される。そして、この亜鉛３塊が侵蝕溶解されて減少したときは、前記缶体２の一部の取付口４を閉鎖する取付蓋５を取り外して、この取付蓋５の内側に取付けられていた残留の亜鉛３を、この取付蓋５と共に取付口４から缶体２外へ取り外して、この取付蓋５に新しい亜鉛３塊を付替える。取付蓋５を取付口４に取付けるとき、亜鉛３塊部を該取付口４から湯沸室９内側へ入れて缶体２の内周面部に位置させて取付けるものである。缶体２の外周部に形成の取付口４を、内側に亜鉛３を取付けた取付蓋５で開閉することによって、この亜鉛３塊を缶体２の外側から湯沸室９内部に簡単に取付けることができる。
【発明の効果】
【０００６】  請求項１に記載の発明は、湯沸室９内を入り口１１から出口１２へ流れる海水が煙管１等内部を通る火焔によって加温されるが、これと同時に、この海水の流れによって溶解性の高い亜鉛３塊の内側面が侵蝕溶解される。このとき海水のイオン電子は電気として電位の低い亜鉛３の側へ先に流れるために、この缶体２内の海水中のイオン電子の流れが減少すると共に、鋼製、乃至ステンレス製等の煙管１への電気の流れは行われ難くなり、煙管１の侵蝕溶解し難い状態にして孔あきを防止する。【０００７】  このような湯沸室９では、海水が流れていて加温されるが、これと同時にこの海水の流れによって亜鉛３が侵蝕溶解される。そして、この亜鉛３塊が侵蝕溶解されて減少したときは、前記缶体２の一部の取付口４を閉鎖する取付蓋５を取り外して、この取付蓋５の内側に取付けられていた残留の亜鉛３を、この取付蓋５と共に取付口４から缶体２外へ取り外して、この取付蓋５に新しい亜鉛３塊を付替える。取付蓋５を取付口４に取付けるとき、亜鉛３塊部を該取付口４から湯沸室９内側へ入れて缶体２の内周面部に位置させて取付けるものである。缶体２の外周部に形成の取付口４を、内側に亜鉛３を取付けた取付蓋５で開閉することによって、この亜鉛３塊を缶体２の外側から湯沸室９内部の取付口４部位置に簡単に取付けることができる。
【発明を実施するための最良の形態】
【０００８】  図例に基づいて、竪型の円筒形状の缶体１の内部に、下端部に燃焼室６を形成し、上端部に煙突７を有した排気室８を形成し、これら上下の燃焼室６、排気室８間にわたって連通する適宜径の煙管１を適宜間隔に配置する湯沸室９を形成する。これら缶体２や、煙管１等はステンレス製、乃至鋼製として構成している。この湯沸室９の下端部は、該燃焼室６の周りにわたって形成される下部湯沸室１０に連通している。これら燃焼室６や、煙管１等の外周部に形成の湯沸室９の下部には、海水を流入させる入口１１、及び排水口１９等を形成し、上部には、この湯沸室９で加熱されて上昇する熱湯を流出する出口１２を設ける。該燃焼室６にはバーナ口筒１３を設けて、外側に設置するバーナ１４を臨ませる。バーナ口筒１３には取付板１５を有して、セットボルト１６によってバーナ１４を取付ける。又、この缶体２の中間部外周には、取付口４を形成する。この取付口４の外側からシール１８を介在させて取付蓋５を重合させて、この取付蓋５をボルト１７締めによって着脱可能にして取付ける。この取付蓋５の内側には亜鉛３塊をボルト締め、乃至貼付け等によって取付ける。この取付蓋５を取付口４部に取付けるとき、亜鉛３を缶体２内の湯沸室９内に位置させることによって、この湯沸室９を流動する熱湯に晒すことができるように構成する。又、ボイラーの使用によってこの亜鉛３が侵蝕溶解して減少した時は、この取付蓋５を着脱して新たな亜鉛３を取付けることができる。【０００９】  ここにおいて、この発明に係るボイラーは、内部に鋼製、乃至ステンレス製等の湯沸用煙管１を配置して、この煙管１周りに形成の湯沸室９を通す海水を湯沸しする缶体２内に、この海水により侵蝕溶解を受けさせる亜鉛３を取付けたものである。ステンレス製等の硬い鋼材からなる煙管１の内側はバーナによる火煙が通り、外周の湯沸室９には海水が流れて、この海水が加温されるが、これと同時に、この海水の流れによって溶解性の高い亜鉛３が侵蝕溶解される。このとき海水のイオン電子は電気として電位の低い亜鉛３の側へ先に流れるために、この缶体２内の海水中のイオン電子の流れが減少すると共に、鋼製、乃至ステンレス製等の煙管１への電気の流れは行われ難くなり、煙管１の侵蝕溶解し難い状態にして孔あきを防止する。
内部に鋼製、乃至ステンレス製等の湯沸用煙管１を配置して、この煙管１の周りに湯沸室９を形成する。この湯沸室９内に海水を通して湯沸しする缶体２内に、この海水により侵蝕溶解する亜鉛３を取付けたボイラーの構成とする。ステンレス製等の硬い鋼材からなる煙管１の内側はバーナによる火焔が通り、外周の湯沸室９には海水を供給して流し、この海水を加温するが、これと同時に、この海水の流れによって溶解性の高い亜鉛３が侵蝕溶解される。このとき海水の電気は亜鉛３への流れが容易であるために、この缶体２内の海水中のイオン電子、乃至電気の流れが減少する。従って、鋼製、乃至ステンレス製等の煙管１への電気の流れは少なくなり、この煙管１の侵蝕溶解し難い状態にして孔あきを防止する。【００１０】  又、前記缶体２の一部に取付口４を形成し、この取付口４を閉鎖する取付蓋５の内側に亜鉛３を取付けるものである。缶体２の外周部に形成の取付口４を、内側に亜鉛３を取付けた取付蓋５で閉鎖することによって、この亜鉛３を缶体２の外側から湯沸室９内部に簡単に取付けることができる。【００１１】  前記取付口４に取付蓋５によって亜鉛３を取付けて、バーナ口筒１３にバーナ１４を取付けると共に、入口１１に海水を送込むポンプホースを連結し、出口１２に排水ホースや、ノズル等を連結して湯沸しながら、このノズルから噴出する熱湯を養殖用の網具等に噴射させて掃除作業する。バーナ１４による火焔が燃焼室６に噴込まれると、火焔はこの燃焼室６から各煙管１を通って排気室８へ流れて、煙突７から排気される。一方、入口１１から流入される海水は、湯沸室９を経て出口１２に至る間に、各煙管１の外周部で加熱されて、熱湯として流出される。【００１２】  海水が缶体２内の湯沸室９内を流れると、イオン電子が電位差の高、低に従って電気の流れを発生し、このとき電位の低い亜鉛３の側へ優先的に流れ、この電気によって亜鉛３が電解作用を受けて侵蝕溶解される。このため、海水内部のイオン電子は少なくなり、鋼製、ステンレス製等の煙管１や、缶体２等に対する電気の流れを少なくして、煙管１等の侵蝕溶解を減少する。このように海水が流動しても、亜鉛３の溶解性が高く容易であることから、この亜鉛３によって海水中の電気の流れを減少して、ステンレス製の煙管１や缶体２の侵蝕溶解性を軽減して、これら煙管１や、缶体２等の孔あきを防止する。湯沸作業によって亜鉛３が溶解減少したときは、缶体２内の海水を排水口１９から排出した状態で、取付蓋５を取付口４から取外して、この取付蓋５裏の亜鉛を新しい亜鉛３に取替えて、この取付口４にのぞませて取付蓋５で閉鎖するように取付ける。
【図面の簡単な説明】
【００１３】
【図１】  ボイラーの一部破断した正面図。
【符号の説明】
【００１４】    １  煙管
２  缶体
３  亜鉛
４  取付口
５  取付蓋
９  湯沸室
【図１】
0005283008.tif 000002